(57)【特許請求の範囲】
【請求項１】
案内部材に嵌るローラー部材を備えた扉体が前記案内部材に沿って横方向に移動して水路を開閉する横引きゲートであって、
前記扉体は、浮力調整手段と、開閉扉によって密閉し得るローラー移動開口部を有し前記ローラー部材を格納する格納室と、前記ローラー部材を前記ローラー移動開口部を介して前記格納室から出し入れするローラー移動機構と、前記格納室に空気を供給する空気供給手段と、を備えて構成されていることを特徴とする横引きゲート。
【請求項２】
案内部材に嵌るローラー部材を備えた扉体が前記案内部材に沿って横方向に移動して水路を開閉する横引きゲートであって、
前記扉体は、浮力調整手段と、開閉扉によって密閉し得るローラー移動開口部を有し前記ローラー部材を格納する格納室と、前記ローラー部材を前記ローラー移動開口部を介して前記格納室から出し入れするローラー移動機構と、前記格納室に空気を供給する空気供給手段と、を備え、
前記ローラー移動機構によって前記格納室から突出移動された前記ローラー部材が前記案内部材に嵌って移動すると共に、前記空気供給手段による空気の供給によって前記格納室内への外水の流入を防ぎ、閉止位置で前記ローラー部材を前記格納室に格納して前記浮力調整手段による浮力調整によって着底設置されるように構成されていることを特徴とする横引きゲート。
【請求項３】
上記格納室内に、洗浄手段を備えて構成されていることを特徴とする請求項１又は２に記載の横引きゲート。
【請求項４】
上記格納室内の除湿を行う除湿手段を備えて構成されていることを特徴とする請求項１，２又は３に記載の横引きゲート。
【発明の詳細な説明】
【０００１】
【発明の属する技術分野】
本発明は、扉体が案内部材に沿って横方向に移動して水路を開閉する横引きゲートに関する。
【０００２】
【従来の技術】
水門の一種として、扉体が引き戸のように案内部材に沿って水平方向に移動して水路を開閉する横引きゲートが知られている。
【０００３】
このような横引きゲートは、扉体の下面に設けられたローラー部材が設置面に設けられたレール又は戸溝等の案内部材に嵌って移動するように構成され、機構が単純で解放時に水路に通行障害となる構造体が残らないという利点がある。
【０００４】
【発明が解決しようとする課題】
しかしながら、上記のごとき従来構成の横引きゲートを通常の水路の水門として用いると、ローラー部材等の機構が常時水中に没することとなるために腐食し易く、また、点検修理等のメンテナンスが極めて困難であるという問題点がある。このため、防潮堤等、専ら扉体が通常時には陸上にある陸閘ゲートとしての適用例が見られるのみである。
【０００５】
本発明は、上記課題を解決するためになされたものであって、扉体が常時水中にあっても機構部の腐食を招来することなく、メンテナンスも容易に行うことができ、通常の水門として適用し得る横引きゲートを提供することを目的とする。
【０００６】
【課題を解決するための手段】
上記目的を達成する本発明に係る横引きゲートは、案内部材に嵌るローラー部材を備えた扉体が前記案内部材に沿って横方向に移動して水路を開閉する横引きゲートであって、前記扉体は、浮力調整手段と、開閉扉によって密閉し得るローラー移動開口部を有し前記ローラー部材を格納する格納室と、前記ローラー部材を前記ローラー移動開口部を介して前記格納室から出し入れするローラー移動機構と、前記格納室に空気を供給する空気供給手段と、を備えて構成されていることを特徴とする。
【０００７】
また、案内部材に嵌るローラー部材を備えた扉体が前記案内部材に沿って横方向に移動して水路を開閉する横引きゲートであって、前記扉体は、浮力調整手段と、開閉扉によって密閉し得るローラー移動開口部を有し前記ローラー部材を格納する格納室と、前記ローラー部材を前記ローラー移動開口部を介して前記格納室から出し入れするローラー移動機構と、前記格納室に空気を供給する空気供給手段と、を備え、前記ローラー移動機構によって前記格納室から突出移動された前記ローラー部材が前記案内部材に嵌って移動すると共に、前記空気供給手段による空気の供給によって前記格納室内への外水の流入を防ぎ、閉止位置で前記ローラー部材を前記格納室に格納して前記浮力調整手段による浮力調整によって着底設置されるように構成されていることを特徴とする。
【０００８】
また、上記格納室内に、洗浄手段を備えて構成され、更に、上記格納室内の除湿を行う除湿手段を備えて構成されていることを特徴とする。
【０００９】
【発明の実施の形態】
以下、添付図面を参照して本発明の実施の形態を説明する。
【００１０】
図１は本発明に係る横引きゲートの一構成例の全体構成説明図であり、（Ａ）は開放状態の平面図，（Ｂ）はその正面図、図２（Ａ）は閉鎖途中の正面図，（Ｂ）は閉鎖状態の正面図である。
【００１１】
図示横引きゲート１は、堤体２に開放形成された水路開口部３の左右両側にそれぞれ扉体１０（１０Ｌ，１０Ｒ）が配設されると共に、この両扉体１０Ｌ，１０Ｒが、駆動手段としての駆動機構２０によって堤体２に沿って移動駆動され、図１（Ａ），（Ｂ）に示す開放状態から、図２（Ａ）の状態を経て図２（Ｂ）に示すように水路開口部３を閉鎖するものである。尚、本発明は左右の一対の扉体を備えるものに限定されるものではなく、扉体の数は単体であっても、より多数であっても良いものである。
【００１２】
扉体配設部位の水底４には、案内手段としての二条のガイド溝３０（３０Ａ，３０Ｂ）が堤体２と平行に形成されており、このガイド溝３０に後述する扉体１０の走行ローラー４１が嵌り、扉体１０の移動を案内するようになっている。
【００１３】
ガイド溝３０（３０Ａ，３０Ｂ）は、扉体１０の側面図に相当する概念図である図６又は図７に示すように、所定幅の平坦な底部３１を有する所定深さの溝状で、それぞれ扉体１０の中心側の側壁３２が鉛直に形成されている。
【００１４】
扉体１０は、図３に図１及び図２中左側に示す扉体１０Ｌの拡大平面図，図４に移動時（走行ローラー４１突出時）の正面図に相当する概念図，図５に閉鎖時（走行ローラー４１格納時）の正面図に相当する概念図を示すように、鋼板によって密閉形成された直方体状で、その四隅にそれぞれローラー部材としての走行ローラー４１を格納する格納室としての格納機械室１１（１１ＦＬ，１１ＦＲ，１１ＲＬ，１１ＲＲ）が形成されると共に、格納機械室１１を除く中央部が浮力調整手段としての浮力タンク１２とされて構成されている。
【００１５】
浮力タンク１２は、図示しないが、バルブを備えた注水口と、内部の水を排水する排水ポンプとを備えており、注水口から内部に注水、又は、排水ポンプによって排水することで当該扉体１０全体としての浮力を調整し、水面への浮上状態，中性浮力状態及び水底４に着底する設置状態とにその浮沈を制御し得るようになっているものである。
【００１６】
格納機械室１１は、扉体１０の高さ方向に連通する空間として浮力タンク１２と隔絶されて形成され、その底面に開閉扉としての内開きの閉止扉１３によって開閉されるローラー移動開口部としての昇降口１１ａが設けられると共に、上面側に蓋付きのマンホール１１ｂが設けられている。これら閉止扉１３及びマンホール１１ｂの蓋は、閉止時には気密的に密閉し得るようになっている。
【００１７】
格納機械室１１の内部には、走行ローラー４１（４１Ｕ，４１Ｓ）を昇降移動可能に支持するローラー移動機構としてのローラー昇降機構４０（４０Ｒ，４０Ｆ）が前後一対設けられると共に、上部に洗浄装置５０の散水ノズル５１が設けられている。
【００１８】
ローラー昇降機構４０は、先端にローラー４１を備えるローラー脚４２が基端で揺動可能に枢支されると共に、このローラー脚４２と伸縮シリンダ４３の伸縮ロッドとがクランクアーム４４を介して連結されて、伸縮シリンダ４３の伸縮駆動によってローラー脚４２が揺動駆動されるように構成されている。ローラー脚４２は伸縮シリンダ４３の駆動によって鉛直から水平に至る９０゜の範囲で揺動し、垂直な状態では、図４及び図６に示すようにローラー４１が格納機械室１１の昇降口１１Ａから下側に所定量突出し、水平状態では図５及び図７に示すようにローラー４１及びローラー脚４２が格納機械室１１内に格納されるようになっている。
【００１９】
ここで、一つの格納機械室１１に設けられた一対のローラー昇降機構４０Ｆ，４０Ｒの内、一方のローラー昇降機構４０Ｒには上下ローラー４１Ｕがローラー脚４２に扉体１０の移動方向と直交する水平な回転軸で回転自在に装着され、他方のローラー昇降機構４０Ｆには側方ローラー４０Ｓが扉体１０の移動方向と直交する鉛直な回転軸で回転自在に装着されている。また、扉体１０の移動方向左右に配置されたローラー昇降機構４０（４０ＦＬと４０ＦＲ，４０ＲＬと４０ＲＲ）の側方ローラー４０Ｓは、それぞれ対応するガイド溝３０の側壁３２に当接するように設定されている。これにより、上下ローラー４１Ｕはガイド溝３０の底部３１に当接して扉体１０を支持して上下方向の位置を規定し、側方ローラー４１Ｓは図４（Ａ）に示すようにガイド溝３０の側壁３２に当接して扉体１０の移動方向に対する左右（移動方向と直交する水平方向）の位置を規定するようになっているものである。
【００２０】
洗浄装置５０は、格納機械室１１内の上部に配設された散水ノズル５１に洗浄水供給装置５２から洗浄水供給管路５３を介して真水の洗浄水を供給するように構成され、散水ノズル５１から真水を格納機械室１１内に散水してローラー昇降機構４０及びローラー４１を洗浄するようになっている。
【００２１】
また、格納機械室１１には、コンプレッサーと除湿手段としての除湿装置とから成る空気供給手段としての空気供給装置６０によって、除湿されて所定圧力に圧搾された空気が空気供給管路６１を介して供給されるようになっている。
【００２２】
扉体１０を移動駆動する駆動機構２０は、扉体１０の上面に駆動ラックギア２１がその移動方向に延設されると共に、堤体２に駆動ピニオンギア２２を回転駆動するギアモーター２３が設けられ、扉体１０が格納機械室１１から突出した走行ローラー４１によって支持される上下方向の位置で、駆動ピニオンギア２２が駆動ラックギア２１と噛合し、ギアモーター２３の駆動によって扉体を移動駆動するように構成されている。
【００２３】
上記のごとく構成された扉体１０では、走行ローラー４１を格納機械室１１に格納して昇降口１１ａを閉止扉１３で密閉すると共に内部を空気供給装置６０からの乾燥空気で充たした状態で浮力タンク１２による浮力調整によって水面上に浮遊した状態とすることができると共に、浮力タンク１２へ注水して水底４に着床させることができる。また、格納機械室１１の昇降口１１ａを開放してローラー昇降機構４０によって走行ローラー４１を下側に突出させてガイド溝３０に嵌合させ、移動駆動機構２０によってガイド溝３０に沿って閉鎖位置まで移動させることができ、この昇降口１１ａの開放時（走行ローラー４１の突出時）には空気供給装置６０によって格納機械室１１内の気圧を調整することで外水の流入を防ぐことができる。更に、洗浄装置５０の洗浄ノズル５１から真水を散水することで格納機械室１１内に格納したローラー昇降機構４０及び走行ローラー４１を洗浄することができる。
【００２４】
次に、このような扉体１０による水路閉鎖手順を順を追って説明する。
【００２５】
水路開放時には、扉体１０は、走行ローラー４１を格納機械室１１に格納して昇降口１１ａを閉止扉１３で密閉すると共に内部を空気供給装置６０からの乾燥空気で充たした状態で、浮力タンク１２による浮力調整によって水面上に浮遊され、図１に示すように水路開口部３を開放する位置に係留待機される。
【００２６】
このように扉体１０が浮遊係留された水路開放状態から、係留を解いて浮力タンク１２によって浮力調整を行うと共に格納機械室１１の昇降口１１ａを開いてローラー昇降機構４０によって走行ローラー４１を下降突出させ、図２（Ａ），図４及び図６に示すように走行ローラー４１をガイド溝３０に嵌合して水底４から規定の高さに位置する移動状態とする。この移動状態では、走行ローラー４１によって適度の重量を支持するように扉体１０に作用する浮力バランスを設定する。これによって扉体１０がガイド溝３０に沿って移動可能となると共に、駆動機構２０の駆動ラックギア２１と駆動ピニオンギア２２が噛合して当該駆動機構２０によって移動駆動可能となる。この時、空気供給装置６０によって格納機械室１１内の圧力を作用する水圧以上に設定してその圧力を維持することで、昇降口１１ａから格納機械室１１の内部に外水が侵入することを防ぐ。
【００２７】
そして、駆動機構２０によって左右の扉体１０（１０Ｌ，１０Ｒ）を水路開口部３を閉鎖する位置まで移動駆動して閉鎖位置に至った後、ローラー昇降機構４０の駆動によって走行ローラー４１を格納機械室１１内に退避させ、浮力タンク１２による浮力調整によって図２（Ｂ）及び図５に示すように扉体１０を水底４に着底させ、更に浮力タンク１２内に注水して設計水圧に対する安定を確保する。これによって、水路開口部３は閉鎖状態となる。
【００２８】
その後、洗浄装置５０の散水ノズル５１から真水を散布してローラー昇降機構４０及び走行ローラー４１に付着した塩分及び汚れを洗浄し、洗浄終了後、図７に示すように閉止扉１３によって昇降口１１ａを閉止密閉すると共に、空気供給装置６０によって格納機械室１１に乾燥空気を供給してローラー昇降機構４０及び走行ローラー４１を含む内部を乾燥させる。洗浄の際の洗浄水は、内外の圧力差によって昇降口１１ａから外部に流出する。また、格納機械室１１内の乾燥によって錆の発生が防がれる。尚、この洗浄及び乾燥は、水路開口部３の閉鎖が短時間である場合には省略しても良い。
【００２９】
水路開口部３の開放時には、上記と逆に、扉体１０を浮上させると共に走行ローラー４１を突出させてガイド溝３０に嵌合させ、駆動機構２０によって開放位置に移動させた後、走行ローラー４１を格納機械室１１内に格納して洗浄し、空気供給装置６０からの空気供給によってローラー昇降機構４０及び走行ローラー４１を含む内部を乾燥させて格納機械室１１内に乾燥空気を充填し、浮力タンク１２による浮力調整によって浮上させて係留するものである。
【００３０】
ローラー昇降機構４０や走行ローラー４１等、可動機構部のメンテナンスは、水路開放時に格納機械室１１内の気圧を大気圧に一致させた後、マンホール１１ｂを介して作業者が格納機械室１１の内部に入って行うことができる。つまり、格納室の上面あるいは側面にマンホール乃至出入口を設けることにより、浮上時と沈設時に外部から格納室に入ることができ、機構の点検や交換を行うことができるものである。メンテナンス作業終了後は、マンホール１１ｂを密閉し、格納機械室１１内に空気供給装置６０によって乾燥空気を供給して内部圧力を大気圧よりやや高めに設定しておくことで、湿気の侵入を防ぐことができる。
【００３１】
尚、案内部材やローラー移動機構等の構成は、上記構成例に限定されるものではなく、適宜変更可能なものである。
【００３２】
また、空気供給装置６０に除湿装置は必ずしも必要なものではなく、格納機械室１１内の空気を乾燥させることができればエアコン等を別個に設けても良いものである。
【００３３】
更に、上記構成例では扉体１０を駆動機構２０によって移動駆動するように構成されているが、タグボート等他の手段によって移動駆動するように構成しても良いものである。
【００３４】
【発明の効果】
以上述べたように、本願発明に係る横引きゲートによれば、案内部材に嵌るローラー部材を備えた扉体が案内部材に沿って横方向に移動して水路を開閉する横引きゲートであって、扉体は、浮力調整手段と、開閉扉によって密閉し得るローラー移動開口部を有しローラー部材を格納する格納室と、ローラー部材をローラー移動開口部を介して格納室から出し入れするローラー移動機構と、格納室に空気を供給する空気供給手段と、を備えて構成されていることにより、ローラー移動機構によって格納室から突出移動されたローラー部材が案内部材に嵌まって、空気供給手段による空気の供給によって格納室内への外水の流入を防ぎつつ移動し得ると共に、閉止位置でローラー部材を格納室に格納して浮力調整手段による浮力調整によって着底設置することができる。これにより、移動時以外には、ローラー部材及びローラー移動機構を外水から隔絶された格納室に格納することができ、これによって扉体が常時水中にあっても機構部の腐食を招来することなく、メンテナンスも容易に行うことができ、通常の水門として適用することが可能となるものである。
【００３５】
また、案内部材に嵌るローラー部材を備えた扉体が案内部材に沿って横方向に移動して水路を開閉する横引きゲートであって、扉体は、浮力調整手段と、開閉扉によって密閉し得るローラー移動開口部を有しローラー部材を格納する格納室と、ローラー部材をローラー移動開口部を介して格納室から出し入れするローラー移動機構と、格納室に空気を供給する空気供給手段と、を備え、ローラー移動機構によって格納室から突出移動されたローラー部材が案内部材に嵌って移動すると共に、空気供給手段による空気の供給によって格納室内への外水の流入を防ぎ、閉止位置でローラー部材を格納室に格納して浮力調整手段による浮力調整によって着底設置されるように構成されていることにより、移動時以外には、ローラー部材及びローラー移動機構を外水から隔絶された格納室に格納することができ、これによって扉体が常時水中にあっても機構部の腐食を招来することなく、メンテナンスも容易に行うことができ、通常の水門として適用することが可能となるものである。
【００３６】
また、上記格納室内に、洗浄手段を備えて構成されていることにより、ローラー部材及びローラー移動機構が水没する移動後に、洗浄手段によって洗浄することで、錆の発生を防いで耐久性をより一層向上できるものである。
【００３７】
更に、上記格納室内の除湿を行う除湿手段を備えて構成されていることにより、格納室の内壁及び内部に格納されたローラー部材とローラー移動機構を乾燥させると共に内部の空気を乾燥させることができ、錆の発生を防ぐことができるものである。
【図面の簡単な説明】
【図１】本発明に係る横引きゲートの一構成例の全体構成説明図であり、（Ａ）は開放状態の平面図，（Ｂ）はその正面図である。
【図２】（Ａ）は横引きゲートの閉鎖途中の正面図，（Ｂ）は閉鎖状態の正面図である。
【図３】扉体の概念平面図である。
【図４】移動時における扉体の概念正面図である。
【図５】閉鎖時における扉体の概念正面図である。
【図６】移動時における扉体の概念側面図である。
【図７】閉鎖時における扉体の概念側面図である。
【符号の説明】
１  横引きゲート
１０  扉体
１１  格納機械室（格納室）
１１ａ  昇降口（ローラー移動開口部）
１２  浮力タンク（浮力調整手段）
１３  閉止扉（開閉扉）
３０  ガイド溝（案内部材）
４０  ローラー昇降機構（ローラー移動機構）
４１  走行ローラー（ローラー部材）
５０  洗浄装置（洗浄手段）
６０  空気供給装置（空気供給手段，除湿手段）
【図１】
0003843879.tif 000002
【図２】
0003843879.tif 000003
【図３】
0003843879.tif 000004
【図４】
0003843879.tif 000005
【図５】
0003843879.tif 000006
【図６】
0003843879.tif 000007
【図７】
0003843879.tif 000008